(57)【要約】  【課題】  撮像装置とは別体の記憶装置に、撮像した画像に係るデータを記憶したり、バックアップを取ることができる撮像システム、並びにその構成要素としての撮像装置及び接続装置を提供する。  【解決手段】  本発明に係る撮像システム１は、撮像された画像に係るデータを内蔵ＨＤＤ３０に記憶するデジタルカメラ２と、デジタルカメラ２とは別体に設けられた外付ＨＤＤ４と、デジタルカメラ２及び外付ＨＤＤ４を接続する接続ＩＦカード６とを備える。接続ＩＦカード６のオス型パラレルＡＴＡコネクタ６１をデジタルカメラ２のメス型パラレルＡＴＡコネクタ３１に接続、又はＣＦコネクタ６２をＣＦスロット３２に挿入し、かつ接続ＩＦカード６のメス型シリアルＡＴＡコネクタ６３を外付ＨＤＤ４のオス型シリアルＡＴＡコネクタ４１に接続する。そして、接続ＩＦカード６の内部にてデータ転送方式を変換して、各コネクタ間のデータ転送の整合性を図る。【選択図】        図１
2006121621.tif 000002
【特許請求の範囲】
【請求項１】
画像を撮像する撮像手段を有する撮像装置と、シリアル転送方式に対応するシリアル接続端子を有する記憶装置と、前記撮像装置及び前記記憶装置を接続する接続装置とを備える撮像システムであって、
前記撮像装置は、
それぞれが相違するパラレル転送方式に対応する複数のパラレル接続端子
を備え、
前記接続装置は、
前記複数のパラレル接続端子のそれぞれに個別に接続するための複数のパラレル接続部と、
前記シリアル接続端子に接続するためのシリアル接続部と、
該シリアル接続部に入力されたデータの前記パラレル転送方式への変換、及び／又は前記パラレル接続部に入力されたデータの前記シリアル転送方式への変換を行う変換手段と
を備えることを特徴とする撮像システム。
【請求項２】
前記撮像装置は、
前記撮像手段にて撮像された画像に係るデータを記憶する記憶媒体の装着が可能であって、
前記撮像手段にて撮像した画像に係るデータ及び／又は前記記憶媒体に記憶された画像に係るデータの前記記憶装置への転送を受け付ける受付手段と、
該受付手段にて受け付けたデータを、前記記憶装置と接続されているパラレル接続端子から前記接続装置を介して前記記憶装置へ転送する手段と
を備えることを特徴とする請求項１に記載の撮像システム。
【請求項３】
前記記憶装置は、
画像に係るデータを記憶しており、
前記撮像装置は、
前記複数のパラレル接続端子のうちのいずれのパラレル接続端子が前記接続装置を介して前記記憶装置と接続されているか否かを判定する判定手段と、
前記記憶装置に記憶された画像に係るデータの取得を受け付ける手段と、
該手段にて受け付けたデータを、前記判定手段にて前記記憶装置と接続されていると判定されたパラレル接続端子から前記接続装置を介して取得する取得手段と
を備えることを特徴とする請求項１又は請求項２に記載の撮像システム。
【請求項４】
前記シリアル転送方式は、シリアルＡＴＡに準拠した転送方式であることを特徴とする請求項１乃至請求項３のいずれか１つに記載の撮像システム。
【請求項５】
前記パラレル転送方式は、パラレルＡＴＡに準拠した転送方式及びコンパクトフラッシュに準拠した転送方式を含むことを特徴とする請求項１乃至請求項４のいずれか１つに記載の撮像システム。
【請求項６】
画像を撮像する撮像手段を有し、該撮像手段にて撮像された画像に係るデータを記憶する記憶媒体の装着が可能な撮像装置において、
それぞれが相違するパラレル転送方式に対応する複数のパラレル接続端子と、
前記撮像手段にて撮像した画像に係るデータ及び／又は前記記憶媒体に記憶された画像に係るデータを、前記複数のパラレル接続端子から外部へ出力する手段と
を備えることを特徴とする撮像装置。
【請求項７】
それぞれが相違するパラレル転送方式に対応する複数のパラレル接続部と、
所定のシリアル転送方式に対応するシリアル接続部と、
該シリアル接続部に入力されたデータの前記パラレル転送方式への変換、及び／又は前記パラレル接続部に入力されたデータの前記シリアル転送方式への変換を行う変換手段と
を備えることを特徴とする接続装置。
【発明の詳細な説明】
【技術分野】
【０００１】
本発明は、画像を撮像する撮像手段を有し、撮像手段にて撮像された画像に係るデータ（画像データ）を記憶する記憶媒体の装着が可能な撮像装置と、シリアル転送方式に対応するシリアル接続端子を有する記憶装置との間で、接続装置を介してデータの転送を行う撮像システム、並びにその構成要素としての撮像装置及び接続装置に関する。
【背景技術】
【０００２】
近年、ＣＣＤセンサ、ＣＭＯＳセンサなどの撮像素子を搭載したデジタルスチルカメラ、デジタルビデオカメラなどのデジタルカメラが普及している。デジタルカメラは、撮像素子によって光電変換されたアナログ形式の画像信号をデジタル形式に変換し、変換した信号を画像データとして記憶媒体に記憶する。近年では、撮像素子の性能、並びに、記憶媒体の記憶容量及びアクセス速度が向上し、いわゆる銀塩カメラと同様、連写撮影及び動画撮影が可能なデジタルカメラが実用化されている。また、小型（１インチ程度）のハードディスク装置が実用化されており、このような小型のハードディスク装置を記憶媒体としてデジタルカメラに搭載すれば、大容量の画像を記憶することが可能となることから、ハードディスク装置を搭載したデジタルカメラ（ビデオカメラ）の開発が行われている（例えば、特許文献１参照。）。
【０００３】
ハードディスク装置は、従来のシーケンシャルアクセス型のテープ状の記憶媒体とは異なり、ランダムにデータ（ファイル）を記憶することができ、不要なファイルを逐次消去することができる。さらに、所定のファイルを瞬時に選択して再生することができるなど、その利点は大きい。
【特許文献１】特開２００３−３０９７９７号公報
【発明の開示】
【発明が解決しようとする課題】
【０００４】
しかしながら、画像データをデジタルカメラに記憶していくと、ハードディスク装置の空き容量が減少することになるので、利用者は、ハードディスク装置から別の記憶媒体に転記する必要であった。そのための記憶媒体としては、ＤＶＤなどが挙げられるが、ＤＶＤの容量は高々４．７Ｇバイトであることから、ハイビジョンクラスの画像を記憶するには、容量が少なすぎるという問題があった。
【０００５】
また、近年では、コンパクトフラッシュ（登録商標）（以下、ＣＦという）、メモリースティック（以下、ＭＳという）及びＳＤメモリーカード（以下、ＳＤという）などの小型メモリーカードを挿入できるようにしたデジタルカメラが考案されているが、それぞれに互換性がないのが実情であり、利用者は、所有しているデジタルカメラに適合する小型メモリーカードを用意しなければならない。したがって、デジタルカメラを買い換えるような場合、今まで利用してきた小型メモリーカードが新規購入のデジタルカメラでは利用できないという問題があった。
【０００６】
また、パーソナルコンピュータ（以下、ＰＣという）にデジタルカメラを接続し、ＰＣからの操作で、デジタルカメラ側のハードディスク装置に記憶されている画像データをＰＣ側のハードディスク装置に転記するものが知られているが、この場合、ＰＣを起動させる必要があるとともに、処理手順が多くなるため、利用者に負担がかかるという問題があった。
【０００７】
本発明は斯かる事情に鑑みてなされたものであり、それぞれが相違するパラレル転送方式に対応する複数のパラレル接続端子を設けた撮像装置と、シリアル転送方式に対応するシリアル接続端子を設けた記憶装置とを、パラレル接続端子のそれぞれに個別に接続するための複数のパラレル接続部及びシリアル接続端子に接続するためのシリアル接続部を設けた接続装置を介して接続し、接続装置にてデータ転送方式を変換させたうえで、接続装置と記憶装置との間でデータを転送する構成とすることにより、撮像した画像に係るデータを直接的に記憶装置に記憶したり、バックアップを取ることが極めて簡単にできる撮像システム、並びにその構成要素としての撮像装置及び接続装置の提供を目的とする。
【０００８】
また本発明は、撮像した画像に係るデータ及び／又は撮像装置側に記憶されている画像に係るデータを記憶装置へ転送する場合に、撮像装置側が、転送するデータを受け付け、受け付けたデータを、接続装置を介して記憶装置と接続されているパラレル接続端子から接続装置を介して記憶装置へ転送する構成とすることにより、撮像装置側からの指示によって、撮像した画像に係るデータを直接的に記憶装置に記憶したり、バックアップを取ることが極めて簡単にできる撮像システムの提供を目的とする。
【０００９】
また本発明は、記憶装置に画像に係るデータが記憶されている場合に、撮像装置が、撮像装置に設けた複数のパラレル接続端子のうちのいずれのパラレル接続端子が接続装置を介して記憶装置と接続されているか否かを判定し、記憶装置に記憶された画像に係るデータの取得を受け付け、受け付けたデータを、接続装置を介して記憶装置と接続されていると判定されたパラレル接続端子から接続装置を介して取得する構成とすることにより、撮像装置側からの指示によって、記憶装置に記憶されたデータを撮像装置側へ転記することが極めて簡単にできる撮像システムの提供を目的とする。
【課題を解決するための手段】
【００１０】
本発明に係る撮像システムは、画像を撮像する撮像手段を有する撮像装置と、シリアル転送方式に対応するシリアル接続端子を有する記憶装置と、前記撮像装置及び前記記憶装置を接続する接続装置とを備える撮像システムであって、前記撮像装置は、それぞれが相違するパラレル転送方式に対応する複数のパラレル接続端子を備え、前記接続装置は、前記複数のパラレル接続端子のそれぞれに個別に接続するための複数のパラレル接続部と、前記シリアル接続端子に接続するためのシリアル接続部と、該シリアル接続部に入力されたデータの前記パラレル転送方式への変換、及び／又は前記パラレル接続部に入力されたデータの前記シリアル転送方式への変換を行う変換手段とを備えることを特徴とする。
【００１１】
本発明に係る撮像システムは、上述した発明において、前記撮像装置は、前記撮像手段にて撮像された画像に係るデータを記憶する記憶媒体の装着が可能であって、前記撮像手段にて撮像した画像に係るデータ及び／又は前記記憶媒体に記憶された画像に係るデータの前記記憶装置への転送を受け付ける受付手段と、該受付手段にて受け付けたデータを、前記記憶装置と接続されているパラレル接続端子から前記接続装置を介して前記記憶装置へ転送する手段とを備えることを特徴とする。
【００１２】
本発明に係る撮像システムは、上述した各発明において、前記記憶装置は、画像に係るデータを記憶しており、前記撮像装置は、前記複数のパラレル接続端子のうちのいずれのパラレル接続端子が前記接続装置を介して前記記憶装置と接続されているか否かを判定する判定手段と、前記記憶装置に記憶された画像に係るデータの取得を受け付ける手段と、該手段にて受け付けたデータを、前記判定手段にて前記記憶装置と接続されていると判定されたパラレル接続端子から前記接続装置を介して取得する取得手段とを備えることを特徴とする。
【００１３】
本発明に係る撮像システムは、上述した各発明において、前記シリアル転送方式は、シリアルＡＴＡに準拠した転送方式であることを特徴とする。
【００１４】
本発明に係る撮像システムは、上述した各発明において、前記パラレル転送方式は、パラレルＡＴＡに準拠した転送方式及びコンパクトフラッシュに準拠した転送方式を含むことを特徴とする。
【００１５】
本発明に係る撮像装置は、画像を撮像する撮像手段を有し、該撮像手段にて撮像された画像に係るデータを記憶する記憶媒体の装着が可能な撮像装置において、それぞれが相違するパラレル転送方式に対応する複数のパラレル接続端子と、前記撮像手段にて撮像した画像に係るデータ及び／又は前記記憶媒体に記憶された画像に係るデータを、前記複数のパラレル接続端子から外部へ出力する手段とを備えることを特徴とする。
【００１６】
本発明に係る接続装置は、それぞれが相違するパラレル転送方式に対応する複数のパラレル接続部と、所定のシリアル転送方式に対応するシリアル接続部と、該シリアル接続部に入力されたデータの前記パラレル転送方式への変換、及び／又は前記パラレル接続部に入力されたデータの前記シリアル転送方式への変換を行う変換手段とを備えることを特徴とする。
【００１７】
本発明にあっては、画像を撮像する撮像手段を有する撮像装置と、シリアル転送方式に対応するシリアル接続端子を有する記憶装置とを接続装置で接続する。撮像装置には、それぞれが相違するパラレル転送方式に対応する複数のパラレル接続端子を設け、接続装置には、撮像装置側の複数のパラレル接続端子のそれぞれに個別に接続するための複数のパラレル接続部と、記憶装置側のシリアル接続端子に接続するためのシリアル接続部とを設ける。そして、接続装置にて、シリアル接続部に入力されたデータをパラレル転送方式へ変換したり、パラレル接続部に入力されたデータをシリアル転送方式へ変換して、各接続部からそれぞれの転送方式に対応したデータを出力する。つまり、撮像装置から記憶装置へデータを転送する場合には、パラレル転送方式からシリアル転送方式へ変換され、記憶装置から撮像装置へデータを転送する場合には、シリアル転送方式からパラレル転送方式へ変換される。このようにして、撮像した画像に係るデータを直接的に記憶装置に記憶することができる。
【００１８】
本発明にあっては、撮像装置が撮像した画像に係るデータを記憶する記憶媒体の装着が可能であって、撮像した画像に係るデータ及び／又は撮像装置側の記憶媒体に記憶されている画像に係るデータを記憶装置へ転送する場合に、撮像装置側が、転送するデータを受け付け、受け付けたデータを、接続装置を介して記憶装置と接続されているパラレル接続端子から接続装置を介して記憶装置へ転送する。このようにして、撮像装置側からの指示によって、撮像した画像に係るデータを直接的に記憶装置に記憶したり、バックアップを取ることが極めて簡単にできる。
【００１９】
本発明にあっては、記憶装置に画像に係るデータが記憶されている場合に、撮像装置が、撮像装置に設けた複数のパラレル接続端子のうちのいずれのパラレル接続端子が接続装置を介して記憶装置と接続されているか否かを判定し、記憶装置に記憶された画像に係るデータの取得を受け付け、受け付けたデータを、接続装置を介して記憶装置と接続されていると判定されたパラレル接続端子から接続装置を介して取得する。このようにして、撮像装置側からの指示によって、記憶装置に記憶されたデータを撮像装置側へ転記することが極めて簡単にできる。
【００２０】
本発明にあっては、シリアル転送方式がシリアルＡＴＡに準拠した転送方式であることにより、大容量のハードディスク装置を記憶装置として用いることができる。画像データは、そのデータ量が一般的に大きいが、大容量のハードディスク装置を撮像装置に接続することによって、撮像装置側の記憶容量に、記憶装置の記憶容量が追加されるので、撮像装置側の記憶容量では容量不足のためにデータの記憶が不可能な場合に、記憶装置にデータを直接記憶することができる。
【００２１】
本発明にあっては、パラレル転送方式がパラレルＡＴＡに準拠した転送方式及びコンパクトフラッシュに準拠した転送方式を含むことにより、例えば、パラレルＡＴＡからシリアルＡＴＡへ変換する変換手段の構成が簡単になる。また、コンパクトフラッシュに準拠した転送方式についても、同様に、シリアルＡＴＡへ変換する変換手段の構成が簡単になる。
【発明の効果】
【００２２】
本発明によれば、撮像装置と記憶装置とを接続装置で接続し、接続装置にてデータ転送方式を変換させて、撮像装置と記憶装置との間でデータを転送することができる。記憶装置は、撮像装置とは別体に設けるので、外形寸法の制約はなく、例えば、大容量（例えば２５０Ｇバイト）のシリアルＡＴＡ対応のハードディスク装置とすることができる。したがって、撮像装置に記憶媒体が装着されている場合には、ハイビジョンクラスの画像を、撮像装置側の記憶媒体ではなく、記憶装置に確実に記憶することができる。また、撮像装置側に記憶しているデータを記憶装置へ転記、つまり、バックアップをとることができる。
【００２３】
本発明によれば、撮像した画像に係るデータ及び／又は撮像装置側に記憶されている画像に係るデータを記憶装置へ転送する場合に、撮像装置側が、転送するデータを受け付け、受け付けたデータを、接続装置を介して記憶装置と接続されているパラレル接続端子から接続装置を介して記憶装置へ転送する構成としたので、撮像装置側からの指示によって、撮像した画像に係るデータを直接的に記憶装置に記憶したり、バックアップを取ることが極めて簡単にできる。
【００２４】
本発明によれば、記憶装置に画像に係るデータが記憶されている場合に、撮像装置が、撮像装置に設けた複数のパラレル接続端子のうちのいずれのパラレル接続端子が接続装置を介して記憶装置と接続されているか否かを判定し、記憶装置に記憶された画像に係るデータの取得を受け付け、受け付けたデータを、接続装置を介して記憶装置と接続されていると判定されたパラレル接続端子から接続装置を介して取得する構成としたので、撮像装置側からの指示によって、記憶装置に記憶されたデータを撮像装置側へ転記することが極めて簡単にできる等、優れた効果を奏する。
【発明を実施するための最良の形態】
【００２５】
図１は本発明に係る撮像システムの一例を示す模式図である。
本発明に係る撮像システム１は、撮像装置としてのデジタルカメラ２と、シリアルＡＴＡ対応の外付ハードディスク装置（以下、外付ＨＤＤという）４とを備えている。デジタルカメラ２の内部には内蔵ハードディスク装置（以下、内蔵ＨＤＤという）３０が、デジタルカメラ２の側面にはメス型パラレルＡＴＡコネクタ（ここではメス型とする）３１が、背面にはＣＦスロット３２がそれぞれ設けられており、外付ＨＤＤ４の背面には、オス型シリアルＡＴＡコネクタ（ここではオス型とする）４１が設けられている。接続インタフェースカード（以下、接続ＩＦカードという）６のＣＦコネクタ６２をデジタルカメラ２のＣＦスロット３２に挿入、又は接続ＩＦカード６のオス型パラレルＡＴＡコネクタ（ここではオス型とする）６１をデジタルカメラ２のメス型パラレルＡＴＡコネクタ３１に接続し、かつ接続ＩＦカード６のメス型シリアルＡＴＡコネクタ（ここではメス型とする）６３を外付ＨＤＤ４のオス型シリアルＡＴＡコネクタ４１に接続することによって、本発明における撮像システム１を構築している。
【００２６】
図２及び図３は本発明に係る撮像システムの構成を示すブロック図である。
デジタルカメラ２は、ＣＰＵで構成された制御部２０を備えている。制御部２０は、バスを介してＲＯＭ２１、ＲＡＭ２２、撮像部２３、信号処理部２４、操作部２５、表示部２６、出力部２７、ＡＴＡインタフェース２８及びＣＦインタフェース２９と接続され、これら各部を制御し、ＲＯＭ２１に予め格納されているコンピュータプログラムに従って種々の機能を実行する。
【００２７】
ＲＡＭ２２は、制御部２０によるコンピュータプログラムの実行時に発生する一時的なデータを記憶するもので、例えばＤＲＡＭ、ＳＤＲＡＭなどにより構成される。撮像部２３は、ズームレンズ、フォーカスレンズ及び絞り（アイリス）、並びに、ズームレンズ、フォーカスレンズ、アイリスの状態を制御する各機構を駆動するモータからなるレンズユニットと、ＣＣＤ又はＣＭＯＳなどの撮像素子とから構成されており、入射される光を光電変換してアナログ形式の画像信号を生成する。
【００２８】
信号処理部２４は、ＡＤＣ（アナログ・デジタル・コンバータ）２４ａ，エンコーダ２４ｂと、デコーダ２４ｃ，ＤＡＣ（デジタル・アナログ・コンバータ）２４ｄとを有している。ＡＤＣ２４ａは、撮像部２３にて生成されたアナログ形式の画像信号を、所定のサンプリング周波数でデジタル化してエンコーダ２４ｂへ出力する。エンコーダ２４ｂは、デジタル化された画像信号を所定形式（以下、モーションＪＰＥＧ形式とする）の画像データに符号化する。符号化された画像データは、内蔵ＨＤＤ３０，外付ＨＤＤ４に記憶される。なお、エンコード形式としては、ＭＰＥＧ形式、ＤＶ圧縮形式などであってもよく、その画像圧縮規格については限定されるものではない。
【００２９】
ＡＴＡインタフェース２８には、内蔵ＨＤＤ３０とメス型パラレルＡＴＡコネクタ３１とがバス接続されており、内蔵ＨＤＤ３０がマスターデバイスとして制御部２０に識別されるように設定されている。メス型パラレルＡＴＡコネクタ３１には、各種のＡＴＡ対応機器が接続された場合、メス型パラレルＡＴＡコネクタ３１に接続されたＡＴＡ対応機器がスレーブデバイスとして制御部２０に識別されるように設定されている。図２においては、接続ＩＦカード６のオス型パラレルＡＴＡコネクタ６１がメス型パラレルＡＴＡコネクタ３１に接続されている場合を示している。
【００３０】
内蔵ＨＤＤ３０は、デジタルカメラ２に搭載した記憶媒体であり、モーションＪＰＥＧ形式の画像データを記憶する。モーションＪＰＥＧ形式の画像データは、デコーダ２４ｃによって、画像信号に復号化してＤＡＣ２４ｄへ出力される。ＤＡＣ２４ｄは、画像信号をアナログ化して表示部２６へ出力し、表示部２６にて、画像信号に係る画像が表示される。また、ＤＡＣ２４ｄは、アナログ化した画像信号を出力部２７へ出力して、出力部２７に接続された液晶ディスプレイ又はＣＲＴディスプレイなどの表示機器５０に、画像信号に係る画像を表示することもできる。
【００３１】
ＣＦインタフェース２９には、ＣＦスロット３２が接続されており、ＣＦスロット３２に挿入された各種のＣＦカードを識別する。図３においては、接続ＩＦカード６のＣＦコネクタ６２がＣＦスロット３２に挿入されている場合を示している。
【００３２】
外付ＨＤＤ４は、デジタルカメラ２とは別体に設けたシリアルＡＴＡ対応の記憶装置であり、デジタルカメラ２にて撮像した画像データのバックアップ用などとして利用者が適宜用意したものである。シリアルＡＴＡは、７５０Ｍｂｐｓのシリアルデータ転送が可能な通信規約であり、各種の対応機器が市販されている。外付ＨＤＤ４は、オス型シリアルＡＴＡコネクタ４１と、シリアル／パラレル変換部４２と、記憶媒体４３とを備えている。外付ＨＤＤ４の内部では、データをパラレル方式で処理するようにしてあり、シリアル／パラレル変換部４２は、オス型シリアルＡＴＡコネクタ４１に入力されたシリアル方式のデータをパラレル方式に変換して記憶媒体４３に記憶する。一方、オス型シリアルＡＴＡコネクタ４１からデータを出力する場合には、シリアル／パラレル変換部４２にてデータをパラレル方式からシリアル方式に変換して出力する。
【００３３】
接続ＩＦカード６は、デジタルカメラ２と外付ＨＤＤ４とを接続するための中間的な接続装置であり、オス型パラレルＡＴＡコネクタ６１，ＣＦコネクタ６２，メス型シリアルＡＴＡコネクタ６３と、各コネクタ間のデータ転送方式を変換するためのパラレル／シリアル変換部６４とを備えている。なお、オス型シリアルＡＴＡコネクタ６３は、対応するデータ転送規格に準拠したケーブルでパラレル／シリアル変換部６４に接続されている。オス型パラレルＡＴＡコネクタ６１，ＣＦコネクタ６２は、デジタルカメラ２のメス型パラレルＡＴＡコネクタ３１，ＣＦスロット３２のそれぞれに接続することができ、パラレル／シリアル変換部６４によってパラレル方式に変換されたデータがオス型パラレルＡＴＡコネクタ６１，ＣＦコネクタ６２を介してデジタルカメラ２へ転送される。一方、メス型シリアルＡＴＡコネクタ６３は、外付ＨＤＤ４のオス型シリアルＡＴＡコネクタ４１に接続することができ、パラレル／シリアル変換部６４によってシリアル方式に変換されたデータがメス型シリアルＡＴＡコネクタ６３を介して外付ＨＤＤ４へ転送される。
【００３４】
つまり、接続ＩＦカード６の内部にてデータ転送方式を変換して、各コネクタ間のデータ転送の整合性を図るようにしてある。シリアルＡＴＡは、シリアルでのデータ転送を行うことから、ピン数が４ピンと少なく、接続ＩＦカード６の構成を簡単にすることができ、低コスト化を図ることができる。例えば、パラレルＡＴＡ規格で、デジタルカメラ２と外付ＨＤＤ４とを接続する場合、ピン数が４０ピンであるため、配線の引き回しが困難であるが、シリアルＡＴＡ規格で、接続ＩＦカード６を介してデジタルカメラ２と外付ＨＤＤ４とを接続するようにすれば、配線の引き回しが極めて簡単になる。
【００３５】
デジタルカメラ２は、メス型パラレルＡＴＡコネクタ３１又はＣＦスロット３２のうちのいずれが、接続ＩＦカード６を介して外付ＨＤＤ４と接続されているか否かを判定する機能を有するとともに、接続ＩＦカード６を介して接続された機器（ここでは外付ＨＤＤ４）を識別する機能を有しており、接続ＩＦカード６を介して接続された外付ＨＤＤ４を認識して内蔵ＨＤＤ３０と同様に取扱うことができる。この場合、各ＨＤＤにあるジャンパースイッチのような切換器で、内蔵ＨＤＤ３０がマスター、外付ＨＤＤ４がスレイブとして識別されるように適宜設定しておく。
【００３６】
操作部２５は、デジタルカメラ２を操作するものであり、画像の撮像、画像データの再生、及び画像データのコピーのうちのいずれを行うかを指定するモード指定キー２５ａを備えている。また、操作部２５は、撮像部２３にて撮像した画像データ及び／又は内蔵ＨＤＤ３０に記憶された画像データの外付ＨＤＤ４への転送を受け付ける手段と、外付ＨＤＤ４に記憶された画像データの取得を受け付ける手段として機能する。なお、オン・スクリーン・ディスプレイ（ＯＳＤ）を表示機器５０に表示してデジタルカメラ２を操作するようにしてもよいし、表示部２６をタッチパネル方式とすることにより、操作部２５を代用することも可能である。
【００３７】
制御部２０は、モード指定キー２５ａにて画像の撮像が指定された場合、利用者から内蔵ＨＤＤ３０及び外付ＨＤＤ４のうちのいずれのＨＤＤに画像データを記憶するかの指定を受け付け、受け付けた指定に従って対応するＨＤＤに画像データを記憶する。ハイビジョン画質相当のモーションＪＰＥＧ形式の画像データを記憶する場合、内蔵ＨＤＤ３０の記憶容量が４Ｇバイトであるときには、２０分の画像データしか記憶することができないが、外付ＨＤＤ４として大容量（例えば２５０Ｇバイト）のものを用いれば、１２５０分の画像データを記憶することができるようになる。
【００３８】
また、制御部２０は、モード指定キー２５ａにて画像データの再生が指定された場合、内蔵ＨＤＤ３０及び外付ＨＤＤ４にアクセスして、各ＨＤＤに記憶されている画像データからサムネイル画像を生成して、表示部２６にサムネイル画像を表示する。利用者は、表示されたサムネイル画像を見ながら、再生したいサムネイル画像を選択することによって、制御部２０は、各部に指示信号を出力して、選択されたサムネイル画像に対応する画像データの再生処理を行う。もちろん、内蔵ＨＤＤ３０及び外付ＨＤＤ４のうちのいずれのＨＤＤの指定を受け付け、受け付けたＨＤＤに記憶されている画像データのみを再生対象としてもよい。
【００３９】
また、制御部２０は、モード指定キー２５ａにて画像データのコピーが指定された場合、内蔵ＨＤＤ３０に記憶されている画像データを外付ＨＤＤ４へコピーしたり、逆に、外付ＨＤＤ４に記憶されている画像データを内蔵ＨＤＤ３０へコピーするコピー処理を行う。まず、制御部２０は、撮像システム１を構成する各ＨＤＤを識別して記憶媒体の一覧を表示部２６に表示する。そして、コピー元とコピー先とを受け付け、コピー元に記憶されている画像データを一覧表示して、操作部２５にて、コピーする画像データの指定を受け付ける。そして、制御部は、受け付けた画像データをコピー先へコピーする。
【００４０】
外付ＨＤＤ４が接続されていない場合、デジタルカメラ２は画像データを内蔵ＨＤＤ３０に記憶するが、外付ＨＤＤ４が接続されている場合、デジタルカメラ２は画像データを内蔵ＨＤＤ３０又は外付ＨＤＤ４に記憶することができる。デジタルカメラ２は小型かつ軽量のものが望まれることから、内蔵ＨＤＤ３０は、ディスクサイズが小型のものが用いられるため、その記憶容量は小さいのが一般的である。したがって、内蔵ＨＤＤ３０の空き容量が減少している場合には、デジタルカメラ２に外付ＨＤＤ４を接続することによって、外付ＨＤＤ４に画像データを記憶することができる。また、画像データの再生及びコピー時には、内蔵ＨＤＤ３０に記憶されている画像データのみならず、接続された外付ＨＤＤ４に記憶されている画像データを再生及びコピーすることができる。
【００４１】
次に、デジタルカメラ２が行う動作手順を、フローチャートを用いて説明する。図４は本発明に係る撮像装置としてのデジタルカメラ２の動作手順を示すフローチャートである。なお、動作手順は一例であり、これに限定されるものではない。また、このような動作手順は、ＲＯＭ２１へ予めコンピュータプログラムを組み込んでおくことにより行うことができる。
【００４２】
制御部２０は、接続ＩＦカード６がメス型パラレルＡＴＡコネクタ３１に接続されているか否かを判定し（ステップＳ１）、接続ＩＦカード６がメス型パラレルＡＴＡコネクタ３１に接続されている場合（Ｓ１：ＹＥＳ）、接続ＩＦカード６に接続された機器（図２における外付ＨＤＤ４）を識別する（ステップＳ２）。一方、接続ＩＦカード６がメス型パラレルＡＴＡコネクタ３１に接続されていない場合（Ｓ１：ＮＯ）、接続ＩＦカード６がＣＦスロット３２に挿入されているか否かを判定し（ステップＳ３）、接続ＩＦカード６がＣＦスロット３２に挿入されている場合（Ｓ３：ＹＥＳ）、接続ＩＦカード６に接続された機器（図３における外付ＨＤＤ４）を識別する（ステップＳ４）。このようにして、制御部２は外付ＨＤＤ４を識別することによって、外付ＨＤＤ４を内蔵ＨＤＤ３０と同様の取扱いをすることができる。
【００４３】
そして、制御部２０は、操作部２５にて画像の撮像、画像データの再生、及び画像データのコピーのうちのいずれの処理を行うかの指定を受け付け（ステップＳ５）、受け付けた指定に応じて、画像の撮像、画像データの再生、及び画像データのコピーのうちのいずれかの処理を実行する（ステップＳ６）。
【００４４】
画像の撮像処理では、図５に示すように、まず、内蔵ＨＤＤ３０及び外付ＨＤＤ４のうちのいずれのＨＤＤに画像データを記憶するかの指定を受け付ける（ステップＳ１１）。そして、制御部２０は、撮像して得られた画像データを、Ｓ１１にて指定されたＨＤＤに記憶する（ステップＳ１２）。
【００４５】
したがって、画像データは、そのデータ量が一般的に大きいが、外付ＨＤＤ４をデジタルカメラ２に接続することによって、デジタルカメラ２に搭載した内蔵ＨＤＤ３０の記憶容量に外付ＨＤＤ４の記憶容量が追加されることになるので、内蔵ＨＤＤ３０では容量不足のために画像データの記憶が不可能な場合に、外付ＨＤＤ４に画像データを記憶することができる。
【００４６】
画像データの再生処理では、図６に示すように、まず、制御部２０は、内蔵ＨＤＤ３０及び外付ＨＤＤ４にアクセスして、各ＨＤＤに記憶されている画像データからサムネイル画像を生成する（ステップＳ２１）。そして、生成したサムネイル画像を表示部２６に表示し（ステップＳ２２）、利用者にどのような画像データが内蔵ＨＤＤ３０及び外付ＨＤＤ４に記憶されているかを知らせる。そして、利用者によるサムネイル画像の選択を受け付け（ステップＳ２３）、制御部２０は、Ｓ２３にて選択されたサムネイル画像に対応する画像データの再生を行う（ステップＳ２４）。
【００４７】
したがって、外付ＨＤＤ４をデジタルカメラ２に接続することによって、デジタルカメラ２に搭載した内蔵ＨＤＤ３０の記憶容量に外付ＨＤＤ４の記憶容量が追加されるので、内蔵ＨＤＤ３０では容量不足のために再生が不可能な画像データを外付ＨＤＤ４に記憶しておき、デジタルカメラ２が外付ＨＤＤ４に記憶した画像データにアクセスして、その画像データを再生することができる。
【００４８】
画像データのコピー処理では、図７に示すように、まず、制御部２０は、撮像システム１を構成する各ＨＤＤを識別して記憶媒体（ここではＨＤＤ）の一覧を表示部２６に表示する（ステップＳ３１）。本例では、内蔵ＨＤＤ３０及び外付ＨＤＤ４が記憶媒体として識別される。そして、コピー元であるＨＤＤ及びコピー先であるＨＤＤの指定を受け付け（ステップＳ３２）、コピー元のＨＤＤに記憶されている画像データを表示部２６に一覧表示する（ステップＳ３３）。そして、操作部２５にて、コピーする画像データの選択を受け付け（ステップＳ３４）、制御部２０は、Ｓ３４にて選択された画像データをコピー先のＨＤＤへコピーする（ステップＳ３５）。
【００４９】
したがって、内蔵ＨＤＤ３０の空き容量が小さくなった場合に、内蔵ＨＤＤ３０に記憶されている画像データを外付ＨＤＤ４へコピーすることによって、画像データのバックアップをとることができるので、バックアップをとった画像データを内蔵ＨＤＤ３０から削除して、空き容量を増やすことができる。また、逆に、外付ＨＤＤ４にバックアップとして記憶しておいた画像データを内蔵ＨＤＤ３０へコピーすることによって、画像データをデジタルカメラ側に戻すことができる。
【００５０】
上述した如く、画像の撮像処理、画像データの再生処理、及び画像データのコピー処理を、デジタルカメラ２側からの指示で簡単に行うことができるとともに、デジタルカメラをＰＣに接続する従来のものと比較して、利用者にかかる負担を軽減することができる。
【００５１】
なお、本実施の形態では、オス型パラレルＡＴＡコネクタ６１，ＣＦコネクタ６２に入力されたパラレル方式のデータをシリアル方式へ変換してメス型シリアルＡＴＡコネクタ６３から転送するとともに、メス型シリアルＡＴＡコネクタ６３に入力されたシリアル方式のデータをパラレル方式へ変換してオス型パラレルＡＴＡコネクタ６１，ＣＦコネクタ６２から転送できるように、パラレル／シリアル変換部６４を接続ＩＦカード６に設けるようにしたが、パラレル方式のデータをシリアル方式へ変換する変換部、又はシリアル方式のデータをパラレル方式へ変換する変換部のいずれかを接続ＩＦカード６に設けるようにしてもよい。
【００５２】
また、本実施の形態では、デジタルカメラ２にパラレル接続端子として、メス型パラレルＡＴＡコネクタ３１と、ＣＦスロット３２とを設け、それに対応して、接続ＩＦカード６に、パラレル接続部としてオス型パラレルＡＴＡコネクタ６１とＣＦコネクタ６２とを設けるようにしたが、各接続端子，接続部の規格及び数は、これらに限定されるものではなく、ＭＳ及びＳＤなどの小型メモリーカード用の規格、ＰＣＭＣＩＡのようなＰＣカード用の規格など、その規格については限定されるものではない。
【００５３】
さらに、本実施の形態では、デジタルカメラ２に内蔵ＨＤＤ３０を内蔵するようにしたが、デジタルカメラ２側の記憶媒体として、装着可能な記憶媒体であればよく、例えばリムーバブルハードディスク装置であってもよいことはもちろんである。
【００５４】
さらにまた、メス型パラレルＡＴＡコネクタ３１に接続ＩＦカード６を介して外付ＨＤＤ４を接続し、かつＣＦスロット３２にＣＦメモリカードを挿入した場合には、外付ＨＤＤ４とＣＦメモリカードとの間でデータの転送を行うことができることは言うまでもない。
【００５５】
以上、本発明の具体的な実施の形態を示して説明したが、本発明はこれらに限定されるものではない。当業者であれば、本発明の要旨を逸脱しない範囲内において、上述した実施の形態に係る発明の構成及び機能に様々な変更又は改良を加えることが可能である。
【図面の簡単な説明】
【００５６】
【図１】本発明に係る撮像システムの一例を示す模式図である。
【図２】本発明に係る撮像システムの構成を示すブロック図である。
【図３】本発明に係る撮像システムの構成を示すブロック図である。
【図４】本発明に係る撮像装置としてのデジタルカメラの動作手順を示すフローチャートである。
【図５】本発明に係る撮像装置としてのデジタルカメラの撮像処理を示すフローチャートである。
【図６】本発明に係る撮像装置としてのデジタルカメラの再生処理を示すフローチャートである。
【図７】本発明に係る撮像装置としてのデジタルカメラのコピー処理を示すフローチャートである。
【符号の説明】
【００５７】
１  撮像システム
２  デジタルカメラ
４  外付ハードディスク装置（外付ＨＤＤ）
６  接続インタフェースカード（接続ＩＦカード）
２０  制御部
２１  ＲＯＭ
２２  ＲＡＭ
２３  撮像部
２４  信号処理部
２８  ＡＴＡインタフェース
２９  ＣＦインタフェース
３０  内蔵ハードディスク装置（内蔵ＨＤＤ）
３１  メス型パラレルＡＴＡコネクタ
３２  ＣＦスロット
４１  オス型シリアルＡＴＡコネクタ
４２  シリアル／パラレル変換部
６１  オス型パラレルＡＴＡコネクタ
６２  ＣＦコネクタ
６３  メス型シリアルＡＴＡコネクタ
６４  パラレル／シリアル変換部
【図１】
2006121621.tif 000003
【図２】
2006121621.tif 000004
【図３】
2006121621.tif 000005
【図４】
2006121621.tif 000006
【図５】
2006121621.tif 000007
【図６】
2006121621.tif 000008
【図７】
2006121621.tif 000009